(57)【要約】【課題】防水性および防塵性を向上させる。【解決手段】中間シール部材４５は、窓が閉状態である場合に第２窓部２２の第２縁部２２ａに押し付けられ、シール縁部４５ａが第２縁部２２ａの表面側および裏面側に膨出するように弾性変形する。壁部５１は、窓が閉状態である場合に第２窓部２２の第２縁部２２ａの表面側に膨出するシール縁部４５ａの一部が嵌り込む凹部５１０を有し、窓が閉状態である場合に窓幅方向における内側から見たときに第２縁部２２ａの表面側に膨出するシール縁部４５ａの一部と第２窓部２２とサイドシール部材４１とに囲まれた隙間ＳＳを覆い隠すように構成されている。【選択図】図１３
2020029704.tif 000002
【特許請求の範囲】
【請求項１】
建設機械のキャブであって、
窓面を構成するように並んで配置されて一方が開閉摺動可能な第１窓部および第２窓部を有する窓と、
前記窓を前記キャブに保持する窓枠と、
弾性を有し、前記第１窓部および前記第２窓部の窓幅方向における縁部の表面側に沿うように延びて前記窓枠に固定されるサイドシール部材と、
弾性を有し、前記第１窓部の前記第２窓部と対向する縁部である第１縁部に沿うように延びて該第１縁部に固定され、前記窓が閉状態である場合に前記窓幅方向における端部に前記サイドシール部材が被さる中間シール部材と、
前記第２窓部の前記第１窓部と対向する縁部である第２縁部の前記窓幅方向における端部の表面側に設けられ、前記サイドシール部材の該窓幅方向における内側に沿うように延びる壁部とを備え、
前記中間シール部材は、前記窓が閉状態である場合に前記第２窓部の前記第２縁部に押し付けられ、該第２縁部に押し付けられた縁部であるシール縁部が該第２縁部の表面側および裏面側に膨出するように弾性変形して該第２縁部を挟み込むように構成され、
前記壁部は、前記窓が閉状態である場合に前記第２窓部の前記第２縁部の表面側に膨出する前記シール縁部の一部が嵌り込む凹部を有し、該窓が閉状態である場合に前記窓幅方向における内側から見たときに該第２縁部の表面側に膨出する該シール縁部の一部と該第２窓部と該サイドシール部材とに囲まれた隙間を覆い隠すように構成されている
ことを特徴とする建設機械のキャブ。
【請求項２】
請求項１において、
前記第２窓部の前記第２縁部の前記窓幅方向における端部の表面側に設けられ、前記壁部の前記窓幅方向における外側に隣り合うように配置され、前記サイドシール部材が被さる膨出面部を備え、
前記膨出面部は、該膨出面部の前記中間シール部材と対向する縁部である第１面縁部に繋がる面であり前記窓が閉状態である場合に前記第２窓部の前記第２縁部の表面側に膨出する前記シール縁部の一部と接触する接触面と、該膨出面部の該第１面縁部の反対側に位置する該膨出面部の縁部である第２面縁部に繋がる傾斜面とを有している
ことを特徴とする建設機械のキャブ。
【請求項３】
請求項２において、
前記接触面は、前記凹部の前記第２窓部に近い側の面である第１面に繋がり、前記窓幅方向と直交する断面の形状が該第１面の該窓幅方向と直交する断面の形状と同一となるように構成されている
ことを特徴とする建設機械のキャブ。
【請求項４】
請求項１〜３のいずれか１項において、
前記中間シール部材の前記窓幅方向における端部の表面側に設けられ、前記窓が閉状態である場合に前記壁部の前記窓幅方向における内側に位置し、且つ、該窓が閉状態である場合に該窓幅方向における内側から見たときに該壁部と重なるように構成されたシール壁部を備えている
ことを特徴とする建設機械のキャブ。
【請求項５】
請求項４において、
前記第２窓部の前記第２縁部の前記窓幅方向における端部の表面側に設けられ、前記窓が閉状態である場合に前記シール壁部の前記窓幅方向における内側に位置し、且つ、該窓が閉状態である場合に該窓幅方向における内側から見たときに該シール壁部と重なるように構成された補助壁部と、
前記第２窓部の前記第２縁部と所定の間隔をおいて対向するように配置されて前記壁部と前記補助壁部とを連結し、前記窓が閉状態である場合に前記第２窓部の表面側から見たときに該壁部と該補助壁部との間に位置する前記シール壁部と重なるように構成された連結壁部とを備えている
ことを特徴とする建設機械のキャブ。
【請求項６】
請求項１〜５のいずれか１項において、
前記壁部は、前記凹部の前記第２窓部から遠い側に設けられた突出部を有し、前記窓が閉状態である場合に該突出部が前記中間シール部材の表面側と重なるように構成されている
ことを特徴とする建設機械のキャブ。
【請求項７】
請求項６において、
前記壁部は、前記第２窓部の前記第２縁部の前記窓幅方向における端部の表面側に設けられている場合に、前記窓の閉動作における前記中間シール部材の移動軌跡に前記突出部が重ならず、該第２窓部の該第２縁部の該窓幅方向における端部の裏面側に設けられている場合に、該窓の閉動作における該中間シール部材の移動軌跡に該突出部が重なるように構成されている
ことを特徴とする建設機械のキャブ。
【請求項８】
請求項１〜７のいずれか１項において、
前記第２窓部の前記第２縁部の前記窓幅方向における端部が嵌め込まれて該第２窓部に装着される装着部材を備え、
前記壁部は、前記装着部材の表面側に設けられている
ことを特徴とする建設機械のキャブ。
【発明の詳細な説明】
【技術分野】
【０００１】
本発明は、建設機械のキャブに関する。
【背景技術】
【０００２】
従来より、油圧ショベルや油圧クレーンなどの建設機械のキャブ（運転室）には、窓が設けられている。例えば、特許文献１には、前面の窓枠内に上下に分割された上窓と下窓とを備えた建設機械のキャブが開示されている。この建設機械のキャブでは、窓枠と下窓の表面との間に縦サイドシール部材が設けられ、上窓と下窓との間に横中間シール部材が設けられている。そして、横中間シール部材に縦サイドシール部材が被さるシール重複部の下方に生じる隙間に配置されるように、下窓の表面に封止部材が設けられている。
【先行技術文献】
【特許文献】
【０００３】
【特許文献１】特開２０１８−２１３５４号公報
【発明の概要】
【発明が解決しようとする課題】
【０００４】
特許文献１のキャブにおいて、シール重複部の下方に生じるシール隙間（横中間シール部材と下窓と縦サイドシール部材とに囲まれた隙間）は、縦サイドシール部材の窓幅方向（特許文献１では左右方向）に延びており、シール隙間の途中に封止部材が設けられている。しかしながら、シール隙間が窓幅方向における内側（中央に近い側）に露出されているので、窓幅方向における内側から隙間へ向けて水や塵などが浸入するおそれがある。
【０００５】
そこで、本発明は、防水性および防塵性を向上させることが可能な建設機械のキャブを提供することを目的とする。
【課題を解決するための手段】
【０００６】
第１の発明は、建設機械のキャブに関する。この建設機械のキャブは、窓面を構成するように並んで配置されて一方が開閉摺動可能な第１窓部および第２窓部を有する窓と、前記窓を前記キャブに保持する窓枠と、弾性を有し、前記第１窓部および前記第２窓部の窓幅方向における縁部の表面側に沿うように延びて前記窓枠に固定されるサイドシール部材と、弾性を有し、前記第１窓部の前記第２窓部と対向する縁部である第１縁部に沿うように延びて該第１縁部に固定され、前記窓が閉状態である場合に前記窓幅方向における端部に前記サイドシール部材が被さる中間シール部材と、前記第２窓部の前記第１窓部と対向する縁部である第２縁部の前記窓幅方向における端部の表面側に設けられ、前記サイドシール部材の該窓幅方向における内側に沿うように延びる壁部とを備えている。前記中間シール部材は、前記窓が閉状態である場合に前記第２窓部の前記第２縁部に押し付けられ、該第２縁部に押し付けられた縁部であるシール縁部が該第２縁部の表面側および裏面側に膨出するように弾性変形して該第２縁部を挟み込むように構成されている。前記壁部は、前記窓が閉状態である場合に前記第２窓部の前記第２縁部の表面側に膨出する前記シール縁部の一部が嵌り込む凹部を有し、該窓が閉状態である場合に前記窓幅方向における内側から見たときに該第２縁部の表面側に膨出する該シール縁部の一部と該第２窓部と該サイドシール部材とに囲まれた隙間を覆い隠すように構成されている。
【０００７】
前記の構成では、壁部を設けることにより、窓幅方向における内側から第２縁部の表面側に膨出するシール縁部の一部と第２窓部とサイドシール部材に囲まれた隙間（以下「シール隙間」と記載）への水や塵などの侵入を壁部で阻害することができる。これにより、防水性および防塵性を向上させることができる。
【０００８】
第２の発明は、第１の発明において、前記第２窓部の前記第２縁部の前記窓幅方向における端部の表面側に設けられ、前記壁部の前記窓幅方向における外側に隣り合うように配置され、前記サイドシール部材が被さる膨出面部を備えている。前記膨出面部は、該膨出面部の前記中間シール部材と対向する縁部である第１面縁部に繋がる面であり前記窓が閉状態である場合に前記第２窓部の前記第２縁部の表面側に膨出する前記シール縁部の一部と接触する接触面と、該膨出面部の該第１面縁部の反対側に位置する該膨出面部の縁部である第２面縁部に繋がる傾斜面とを有している。
【０００９】
前記の構成では、膨出面部を設けることにより、シール隙間（第２縁部の表面側に膨出するシール縁部の一部と第２窓部とサイドシール部材とに囲まれた隙間）に膨出面部を配置することができる。これにより、シール隙間を狭くすることができるので、防水性および防塵性をさらに向上させることができる。
【００１０】
第３の発明は、第２の発明において、前記接触面が、前記凹部の前記第２窓部に近い側の面である第１面に繋がり、前記窓幅方向と直交する断面の形状が該第１面の該窓幅方向と直交する断面の形状と同一となるように構成されている。
【００１１】
前記の構成では、壁部の凹部から膨出面部の接触面に亘ってシール縁部を同様に弾性変形させることができる。これにより、シール縁部と凹部および接触面との密着性を向上させることができるので、防水性および防塵性をさらに向上させることができる。
【００１２】
第４の発明は、第１〜第３の発明のいずれか１つにおいて、前記中間シール部材の前記窓幅方向における端部の表面側に設けられ、前記窓が閉状態である場合に前記壁部の前記窓幅方向における内側に位置し、且つ、該窓が閉状態である場合に該窓幅方向における内側から見たときに該壁部と重なるように構成されたシール壁部を備えている。
【００１３】
前記の構成では、シール壁部を設けることにより、窓幅方向における内側からシール隙間への水や塵などの侵入を壁部とシール壁部とで阻害することができる。これにより、窓幅方向における内側からシール隙間へ向かう侵入ルートを複雑にすることができるので、防水性および防塵性を向上させることができる。
【００１４】
第５の発明は、第４の発明において、前記第２窓部の前記第２縁部の前記窓幅方向における端部の表面側に設けられ、前記窓が閉状態である場合に前記シール壁部の前記窓幅方向における内側に位置し、且つ、該窓が閉状態である場合に該窓幅方向における内側から見たときに該シール壁部と重なるように構成された補助壁部と、前記第２窓部の前記第２縁部と所定の間隔をおいて対向するように配置されて前記壁部と前記補助壁部を連結し、前記窓が閉状態である場合に前記第２窓部の表面側から見たときに該壁部と該補助壁部との間に位置する前記シール壁部と重なるように構成された連結壁部とを備えている。
【００１５】
前記の構成では、補助壁部を設けることにより、窓幅方向における内側からシール隙間への水や塵などの侵入を壁部とシール壁部と補助壁部とで阻害することができる。また、連結壁部を設けることにより、壁部の第２窓部から遠い側から壁部とシール壁部との間の隙間への水や塵などの侵入を連結壁部で阻害することができる。以上により、窓幅方向における内側からシール隙間へ向かう侵入ルートをさらに複雑にすることができるので、防水性および防塵性をさらに向上させることができる。
【００１６】
第６の発明は、第１〜第５の発明のいずれか１つにおいて、前記壁部が、前記凹部の前記第２窓部から遠い側に設けられた突出部を有し、前記窓が閉状態である場合に該突出部が前記中間シール部材の表面側と重なるように構成されている。
【００１７】
前記の構成では、壁部に突出部を設けることにより、第２窓部の第２縁部の表面側に膨出するシール縁部の一部と凹部との接触部分への水や塵などの侵入を突出部で阻害することができる。これにより、防水性および防塵性をさらに向上させることができる。
【００１８】
第７の発明は、第６の発明において、前記壁部が、前記第２窓部の前記第２縁部の前記窓幅方向における端部の表面側に設けられている場合に、前記窓の閉動作における前記中間シール部材の移動軌跡に前記突出部が重ならず、該第２窓部の該第２縁部の該窓幅方向における端部の裏面側に設けられている場合に、該窓の閉動作における該中間シール部材の移動軌跡に該突出部が重なるように構成されている。
【００１９】
前記の構成では、第２窓部の裏面側に設けられている場合に窓の閉動作に伴う中間シール部材の移動軌跡に突出部が重なるように壁部を構成することにより、壁部が誤って第２窓部の裏面側に設けられている場合に、窓の閉動作に伴って第２窓部の第２縁部へ向けて近づいてくる中間シール部材に壁部の突出部を接触させることができる。これにより、壁部が誤って第２窓部の裏面側に設けられていることを発見することができる。
【００２０】
第８の発明は、第１〜第７の発明のいずれか１つにおいて、前記第２窓部の前記第２縁部の前記窓幅方向における端部が嵌め込まれて該第２窓部に装着される装着部材を備えている。前記壁部は、前記装着部材の表面側に設けられている。
【００２１】
前記の構成では、第２窓部の第２縁部の窓幅方向における端部が嵌め込まれる装着部材に壁部を設けることにより、壁部の位置決めを容易に行うことができる。また、接着剤などを用いて壁部を第２窓部に接着する場合よりも、壁部を第２窓部に設けるための作業を容易にすることができる。
【発明の効果】
【００２２】
以上のように、本発明によれば、防水性および防塵性を向上させることができる。
【図面の簡単な説明】
【００２３】
【図１】実施形態による建設機械の構成を例示する概略図である。
【図２】実施形態による建設機械のキャブの外観を例示する斜視図である。
【図３】実施形態による建設機械のキャブの構成を例示する正面図である。
【図４】横中間シール部材の構成を例示する正面図である。
【図５】図４のＶ−Ｖ線における断面図である。
【図６】下窓および装着部材の構成を例示する正面図である。
【図７】装着部材の構成を例示する斜視図である。
【図８】装着部材の構成を例示する正面図である。
【図９】装着部材の構成を例示する側面図である。
【図１０】窓が閉状態である場合のキャブの要部を例示する正面図である。
【図１１】図１０のＸＩ−ＸＩ線における断面図である。
【図１２】図１０のＸＩＩ−ＸＩＩ線における断面図である。
【図１３】図１０のＸＩＩＩ−ＸＩＩＩ線における断面図である。
【図１４】図１０のＸＩＶ−ＸＩＶ線における断面図である。
【図１５】装着部材の変形例１の構成を例示する断面図である。
【図１６】装着部材の変形例２の構成を例示する斜視図である。
【図１７】装着部材の変形例３の構成を例示する斜視図である。
【図１８】装着部材の変形例３の構成を例示す斜視断面図である。
【図１９】装着部材の変形例３の構成を例示する斜視図である。
【図２０】装着部材の変形例３の構成を例示する正面図である。
【図２１】装着部材の変形例４の構成を例示する正面図である。
【図２２】図２１のＸＸＩＩ−ＸＸＩＩ線における断面図である。
【発明を実施するための形態】
【００２４】
以下、実施の形態を図面を参照して詳しく説明する。なお、図中同一または相当部分には同一の符号を付しその説明は繰り返さない。
【００２５】
（建設機械）
図１は、実施形態による建設機械１０の構成を例示している。この例では、建設機械１０は、油圧ショベルを構成している。具体的には、建設機械１０は、クローラ式の下部走行体１１と、下部走行体１１上に旋回自在に搭載された上部旋回体１２と、アタッチメント１３と、キャブ１４と、機械室１５とを備えている。
【００２６】
アタッチメント１３は、上部旋回体１２の前部に設置されている。そして、アタッチメント１３は、ブーム１３ａやアーム１３ｂやバケット１３ｃなどにより構成されている。ブーム１３ａとアーム１３ｂとバケット１３ｃは、油圧制御された油圧シリンダ１３ｄの伸縮に連動して動作し、掘削などの作業を行う。これらの操作は、キャブ１４において行われる。
【００２７】
キャブ１４は、矩形の箱状に形成された運転室である。キャブ１４は、アタッチメント１３に隣接して上部旋回体１２の前部に設置されている。機械室１５は、上部旋回体１２の後部に設けられている。機械室１５の内部には、エンジンや油圧ポンプなど（図示を省略）が収容されている。機械室１５の周囲は、機械室カバー１６や前後のバランスを確保するためのカウンタウェイト１７で覆われている。また、上部旋回体１２には、アッパーフレーム１８が設けられており、キャブ１４は、アッパーフレーム１８上に設置されている。
【００２８】
なお、以下の説明において用いる方向（上下左右前後）は、キャブ１４を正面から見た場合の方向を示し、「表面側」は、キャブ１４の外側（室外側）を示し、「裏面側」は、キャブ１４の内側（室内側）を示している。
【００２９】
（建設機械のキャブ）
図２および図３は、キャブ１４の構成を例示している。キャブ１４は、窓２０と、窓枠３０と、シール部材４０とを備えている。この例では、キャブ１４の前面側に窓枠３０が設けられ、その窓枠３０により窓２０がキャブ１４に保持されている。すなわち、窓２０は、キャブ１４の前窓を構成している。
【００３０】
〔窓〕
窓２０は、第１窓部２１と第２窓部２２とを有する。第１窓部２１と第２窓部２２は、それぞれ矩形の板状に形成され、１つの窓面を構成するように並んで配置されている。そして、第１窓部２１および第２窓部２２のうち一方の窓部は、開閉摺動可能に構成されている。第１窓部２１と第２窓部２２とが後述する中間シール部材４５を間に挟んで窓枠３０の開口を閉塞することで、窓２０が閉状態となり、第１窓部２１と第２窓部２２とが互いに離間して窓枠３０の開口を開放することで、窓２０が開状態となる。この例では、第１窓部２１および第２窓部２２は、窓２０が閉状態である場合に、第１窓部２１と第２窓部２２との裏面側の挟角が鈍角となるように、くの字状に配置される。また、窓２０が開状態から閉状態となる閉動作では、第１窓部２１と第２窓部２２との裏面側の挟角が鈍角となる姿勢で、第１窓部２１および第２窓部２２の一方が他方へ向けて移動する。
【００３１】
この例では、第１窓部２１および第２窓部２２は、それぞれの窓幅方向が左右方向を向き、第１窓部２１が第２窓部２２の上方に位置するように上下方向に並んで配置されている。すなわち、この例では、窓２０の窓幅方向は、左右方向となっており、第１窓部２１は、上窓を構成し、第２窓部２２は、下窓を構成している。そして、下窓を構成する第２窓部２２は、その窓面が上下方向に沿うように窓枠３０に保持されている。一方、上窓を構成する第１窓部２１は、第１窓部２１との間に後述する中間シール部材４５を挟んで窓枠３０の開口を閉塞する閉位置と、第２窓部２２から離間してキャブ１４の天井部に退避する開位置とに摺動可能に構成されている。また、閉位置に配置された第１窓部２１は、前方から後方へ向けて上方傾斜する姿勢となっている。窓２０の閉動作では、第１窓部２１が前方から後方へ向けて上方傾斜する姿勢で、第１窓部２１が第２窓部２２へ向けて移動する。
【００３２】
なお、以下の説明では、第１窓部２１の第２窓部２２と対向する縁部（この例では下縁部）を「第１縁部２１ａ」と記載し、第１窓部２１の窓幅方向と直交する方向である第１窓部２１の長さ方向において第１窓部２１の第１縁部２１ａの反対側に位置する第１窓部２１の縁部（この例では上縁部）を「第１窓部２１の反対側の縁部」と記載する。また、第２窓部２２の第１窓部２１と対向する縁部（この例では上縁部）を「第２縁部２２ａ」と記載し、第２窓部２２の長さ方向において第２窓部２２の第２縁部２２ａの反対側に位置する第２窓部２２の縁部（この例では下縁部）を「第２窓部２２の反対側の縁部」と記載する。
【００３３】
〔窓枠〕
窓枠３０は、窓２０をキャブ１４に保持する。この例では、窓枠３０は、２つのサイド枠材３１と、アンダー枠材３２と、アッパー枠材３３とを有している。
【００３４】
２つのサイド枠材３１は、窓２０の窓幅方向（この例では左右方向）における両縁部に配置され、それぞれが窓幅方向と直交する方向（この例では上下方向）に延びている。アンダー枠材３２は、窓幅方向に延びて２つのサイド枠材３１の一端部（この例では下端部）を接続している。アッパー枠材３３は、窓２０の窓幅方向に延びて２つのサイド枠材３１の他端部（この例では上端部）を接続している。
【００３５】
〔シール部材〕
シール部材４０は、窓２０と窓枠３０との間をシールする。この例では、シール部材４０は、２つのサイドシール部材４１と、アンダーシール部材４２とを有している。
【００３６】
〔サイドシール部材〕
２つのサイドシール部材４１は、それぞれ弾性を有している。例えば、サイドシール部材４１は、ゴムによって構成されている。また、２つのサイドシール部材４１は、第１窓部２１および第２窓部２２の窓幅方向（この例では左右方向）における両縁部の表面側に沿うように延びている。そして、２つのサイドシール部材４１は、窓枠３０の２つのサイド枠材３１にそれぞれ固定されている。このような構成により、２つのサイドシール部材４１は、第１窓部２１および第２窓部２２の窓幅方向における両縁部と２つのサイドシール部材４１との間をそれぞれシールする。
【００３７】
〔中間シール部材〕
中間シール部材４５は、弾性を有している。例えば、中間シール部材４５は、ゴムによって構成されている。中間シール部材４５は、第１窓部２１の第１縁部２１ａに沿うように延びている。そして、中間シール部材４５は、第１窓部２１の第１縁部２１ａに固定されている。なお、中間シール部材４５の窓幅方向における端部には、サイドシール部材４１が被さっている。
【００３８】
また、中間シール部材４５は、窓２０が閉状態である場合に第２窓部２２の第２縁部２２ａに押し付けられる。そして、中間シール部材４５は、第２縁部２２ａに押し付けられた縁部（以下「シール縁部４５ａ」と記載）が第２縁部２２ａの表面側および裏面側に膨出するように弾性変形して第２縁部２２ａを挟み込むように構成されている。このような構成により、中間シール部材４５は、窓２０が閉状態である場合に第１窓部２１と第２窓部２２との間をシールする。
【００３９】
図４および図５に示すように、この例では、中間シール部材４５には、差込凹部４５ｂが設けられている。差込凹部４５ｂは、中間シール部材４５の延伸方向（すなわち窓幅方向）と直交する断面の形状がＵ字状に形成されている。差込凹部４５ｂに第１窓部２１の第１縁部２１ａが差し込まれることにより、中間シール部材４５が第１窓部２１の第１縁部２１ａに固定されている。
【００４０】
〔装着部材〕
また、図６に示すように、キャブ１４は、２つの装着部材５０を備えている。２つの装着部材５０は、第２窓部２２の第２縁部２２ａの窓幅方向（この例では左右方向）における両端部がそれぞれ嵌め込まれるように構成されている。２つの装着部材５０に第２窓部２２の第２縁部２２ａの窓幅方向における両端部がそれぞれ嵌め込まれることにより、２つの装着部材５０が第２窓部２２の第２縁部２２ａの窓幅方向における両端部にそれぞれ装着されている。
【００４１】
なお、２つの装着部材５０は、第２窓部２２の窓幅方向における中央を通過する対称軸を中心として互いに対象となるように構成されている。以下では、２つの装着部材５０のうち第２窓部２２の第２縁部２２ａの左端部に装着される左側の装着部材５０を例に挙げて説明する。
【００４２】
図７，図８，図９に示すように、装着部材５０は、壁部５１と、膨出面部５２と、裏面部５３と、対向面部５４と、側面部５５とを有している。なお、図７，図８，図９は、それぞれ、左側の装着部材５０の斜視図，正面図，右側面図である。
【００４３】
この例では、壁部５１と膨出面部５２と裏面部５３と対向面部５４と側面部５５とが一体に形成されている。そして、壁部５１と膨出面部５２と裏面部５３と対向面部５４と側面部５５とにより装着凹部が構成されている。装着凹部は、壁部５１と膨出面部５２と裏面部５３と対向面部５４と側面部５５とに囲まれた部分であり、第２窓部２２の第２縁部２２ａの窓幅方向における端部が嵌め込まれる。例えば、装着部材５０は、樹脂によって構成されている。
【００４４】
〈壁部〉
壁部５１は、第２窓部２２の第２縁部２２ａの窓幅方向における端部（この例では左端部）の表面側に設けられる。そして、壁部５１は、サイドシール部材４１の窓幅方向における内側（この例では右側）に沿うように延びている。
【００４５】
この例では、壁部５１は、装着部材５０の表面部の一部を構成している。壁部５１は、第２窓部２２の長さ方向（この例では上下方向）に延びる板状に形成され、その板面が第２窓部２２の窓幅方向（この例では左右方向）と直交するように配置されている。
【００４６】
《凹部》
また、壁部５１は、凹部５１０を有している。凹部５１０は、窓２０が閉状態である場合に第２窓部２２の第２縁部２２ａの表面側に膨出するシール縁部４５ａの一部が嵌り込むように構成されている。そして、図１３に示すように、壁部５１は、窓２０が閉状態である場合に窓幅方向における内側から見たときに第２縁部２２ａの表面側に膨出するシール縁部４５ａの一部と第２窓部２２とサイドシール部材４１とに囲まれた隙間（以下「シール隙間ＳＳ」と記載）を覆い隠すように構成されている。
【００４７】
この例では、凹部５１０は、第２窓部２２の第２縁部２２ａから第２窓部２２の反対側の縁部へ向かう方向（この例では下方）に凹んでいる。そして、凹部５１０は、第２窓部２２の窓幅方向と直交する断面の形状がＵ字状に形成されており、第２窓部２２に近い側の第１面５１０ａと、第２窓部２２から遠い側の第２面５１０ｂとを有している。
【００４８】
《突出部》
また、壁部５１は、突出部５１１を有している。突出部５１１は、凹部５１０の第２窓部２２から遠い側に設けられている。そして、図１３に示すように、壁部５１は、窓２０が閉状態である場合に突出部５１１が中間シール部材４５の表面側と重なるように構成されている。
【００４９】
この例では、突出部５１１は、第２窓部２２の反対側の縁部から第２窓部２２の第２縁部２２ａへ向かう方向（この例では上方）に突出している。そして、突出部５１１は、第２窓部２２の窓幅方向と直交する断面の形状が三角形状に形成されており、窓２０が閉状態である場合に中間シール部材４５の表面側と接触する接触面５１１ａを有している。
【００５０】
〈膨出面部〉
膨出面部５２は、第２窓部２２の第２縁部２２ａの窓幅方向における端部（この例で左端部）の表面側に設けられる。膨出面部５２は、壁部５１の窓幅方向における外側（この例では左側）に隣り合うように配置されている。そして、図１０および図１２に示すように、膨出面部５２にサイドシール部材４１が被さっている。
【００５１】
この例では、膨出面部５２は、装着部材５０の表面部の一部を構成している。また、膨出面部５２は、接触面５２１と、傾斜面５２２と、中間面５２３とを有している。なお、以下では、膨出面部５２の中間シール部材４５と対向する縁部を「第１面縁部５２ａ」と記載し、第１面縁部５２ａの反対側に位置する膨出面部５２の縁部を「第２面縁部５２ｂ」と記載する。
【００５２】
《接触面》
接触面５２１は、膨出面部５２の第１面縁部５２ａに繋がる面である。そして、接触面５２１は、窓２０が閉状態である場合に第２窓部２２の第２縁部２２ａの表面側に膨出するシール縁部４５ａの一部と接触するように構成されている。この例では、図８に示すように、接触面５２１は、膨出面部５２の表面側（この例では前側）から見た場合に矩形状となっている。そして、図７および図９に示すように、接触面５２１は、凹部５１０の第１面５１０ａに繋がっており、第２窓部２２の窓幅方向（この例では左右方向）と直交する断面の形状が凹部５１０の第１面５１０ａの窓幅方向と直交する断面の形状と同一となるように構成されている。
【００５３】
《傾斜面》
傾斜面５２２は、膨出面部５２の第２面縁部５２ｂに繋がる面である。この例では、図８に示すように、傾斜面５２２は、膨出面部５２の表面側（この例では前側）から見た場合に矩形状となっている。そして、図７，図９，図１２に示すように、傾斜面５２２は、膨出面部５２の第１面縁部５２ａ側から第２面縁部５２ｂ側へ向かうに連れて第２窓部２２に次第に近づくように構成されている。
【００５４】
《中間面》
中間面５２３は、接触面５２１と傾斜面５２２とを繋ぐ面である。この例では、図８に示すように、中間面５２３は、膨出面部５２の表面側（この例では前側）から見た場合に矩形状となっている。そして、図７に示すように、中間面５２３は、接触面５２１の縁部から傾斜面５２２の縁部へ向けて傾斜（この例では後方から前方へ向けて下方傾斜）している。
【００５５】
〈裏面部〉
裏面部５３は、第２窓部２２の第２縁部２２ａの窓幅方向における端部（この例で左端部）の裏面側に設けられる。そして、図１２および図１３に示すように、裏面部５３の中間シール部材４５と対向する縁部は、窓２０が閉状態である場合にシール縁部４５ａ（具体的には第２窓部２２の第２縁部２２ａの表面側に膨出するシール縁部４５ａの一部）と接触する。
【００５６】
この例では、裏面部５３は、装着部材５０の裏面部を構成している。裏面部５３は、第２窓部２２の長さ方向（この例では上下方向）に延びる矩形の板状に形成され、その板面が第２窓部２２の窓面に沿うように配置されている。また、第２窓部２２の長さ方向において、裏面部５３の長さは、膨出面部５２の長さよりも長くなっている。
【００５７】
〈対向面部〉
対向面部５４は、第２窓部２２の第２縁部２２ａの中間シール部材４５と対向する端面（この例では上面）に設けられる。対向面部５４は、壁部５１および膨出面部５２と裏面部５３とを連結している。そして、図１２および図１３に示すように、対向面部５４は、窓２０が閉状態である場合にシール縁部４５ａと接触する。
【００５８】
この例では、対向面部５４は、装着部材５０の対向面部（中間シール部材４５と対向する面部）を構成している。対向面部５４は、第２窓部２２の窓幅方向に延びる矩形の板状に形成され、その板面が第２窓部２２の第２縁部２２ａの端面に沿うように配置されている。
【００５９】
〈側面部〉
側面部５５は、第２窓部２２の第２縁部２２ａの窓幅方向における外側の面（この例では左側面）に設けられる。側面部５５は、膨出面部５２と裏面部５３と対向面部５４とを連結している。
【００６０】
この例では、側面部５５は、装着部材５０の側面部（第２窓部２２の窓幅方向における外側の面部）を構成している。側面部５５は、第２窓部２２の長さ方向（この例では上下方向）に延びる板状に形成され、その板面が第２窓部２２の第２縁部２２ａの窓幅方向における外側の面に沿うように配置されている。
【００６１】
〔シール壁部〕
図４および図５に示すように、中間シール部材４５の延伸方向（すなわち窓幅方向）における両端部（この例では左右方向における両端部）の表面側には、２つのシール壁部６０がそれぞれ設けられている。２つのシール壁部６０は、２つの装着部材５０にそれぞれ対応している。
【００６２】
なお、２つのシール壁部６０は、第２窓部２２の窓幅方向における中央を通過する対称軸を中心として互いに対象となるように構成されている。以下では、２つのシール壁部６０のうち中間シール部材４５の左端部に設けられる左側のシール壁部６０を例に挙げて説明する。図４には、左側のシール壁部６０が図示されている。
【００６３】
シール壁部６０は、中間シール部材４５の窓幅方向における端部の表面側に設けられている。そして、図１０および図１４に示すように、シール壁部６０は、窓２０が閉状態である場合に壁部５１の窓幅方向における内側（この例では右側）に位置し、且つ、窓２０が閉状態である場合に窓幅方向における内側から見たときに壁部５１と重なるように構成されている。
【００６４】
この例では、シール壁部６０は、第１窓部２１の長さ方向（この例では上下方向）に延びる板状に形成され、その板面が第１窓部２１の窓幅方向（この例では左右方向）と直交するように配置されている。
【００６５】
〔窓の閉動作〕
次に、図１０〜図１４を参照して、窓２０が閉状態である場合について説明する。
【００６６】
図１０に示すように、窓２０が閉状態になると、中間シール部材４５が第２窓部２２の第２縁部２２ａに押し付けられる。これにより、図１１および図１２に示すように、シール縁部４５ａ（第２縁部２２ａに押し付けられた中間シール部材４５の縁部）が第２縁部２２ａの表面側および裏面側に膨出するように弾性変形して第２縁部２２ａを挟み込む。このとき、図１２に示すように、第２縁部２２ａの表面側に膨出するシール縁部４５ａの一部と第２窓部２２とサイドシール部材４１との間にシール隙間ＳＳが形成される。このシール隙間ＳＳは、サイドシール部材４１の窓幅方向（この例では左右方向）に延びている。
【００６７】
また、図１３に示すように、窓２０が閉状態になると、第２窓部２２の第２縁部２２ａの表面側に膨出するシール縁部４５ａの一部が壁部５１の凹部５１０に嵌まり込む。そして、窓幅方向（この例では左右方向）における内側から見たときにシール隙間ＳＳが壁部５１に覆い隠されるようになる。また、図１０に示すように、窓２０が閉状態になると、シール壁部６０が壁部５１の窓幅方向における内側（この例では右側）に配置され、図１４に示すように、窓幅方向における内側から見たときにシール壁部６０が壁部５１と重なるようになる。なお、この例では、窓２０が閉状態である場合に窓幅方向における内側から見たときに、シール壁部６０が壁部５１を介してシール隙間ＳＳと重なっている。
【００６８】
〔実施形態による効果〕
以上のように、壁部５１を設けることにより、窓幅方向における内側からシール隙間ＳＳ（第２縁部２２ａの表面側に膨出するシール縁部４５ａの一部と第２窓部２２とサイドシール部材４１とに囲まれた隙間）への水や塵などの侵入を壁部５１で阻害することができる。これにより、防水性および防塵性を向上させることができる。
【００６９】
また、膨出面部５２を設けることにより、シール隙間ＳＳ（第２縁部２２ａの表面側に膨出するシール縁部４５ａの一部と第２窓部２２とサイドシール部材４１とに囲まれた隙間）に膨出面部５２を配置することができる。これにより、シール隙間ＳＳを狭くすることができるので、防水性および防塵性をさらに向上させることができる。
【００７０】
また、凹部５１０の第１面５１０ａに繋がり、且つ、接触面５２１の窓幅方向と直交する断面の形状が凹部５１０の第１面５１０ａの窓幅方向と直交する断面の形状と同一となるように、膨出面部５２の接触面５２１を構成することにより、壁部５１の凹部５１０から膨出面部５２の接触面５２１に亘ってシール縁部４５ａを同様に弾性変形させることができる。これにより、シール縁部４５ａと凹部５１０および接触面５２１との密着性を向上させることができるので、防水性および防塵性をさらに向上させることができる。
【００７１】
また、膨出面部５２の第１面縁部５２ａ側から第２面縁部５２ｂ側へ向かうに連れて第２窓部２２に次第に近づくように、膨出面部５２の傾斜面５２２を構成することにより、膨出面部５２の傾斜面５２２と第２窓部２２との段差を小さくすることができる。これにより、膨出面部５２の第２面縁部５２ｂにおけるサイドシール部材４１と第２窓部２２との密着性を向上させることができる。これにより、防水性および防塵性をさらに向上させることができる。
【００７２】
また、シール壁部６０を設けることにより、窓幅方向における内側からシール隙間ＳＳへの水や塵などの侵入を壁部５１とシール壁部６０とで阻害することができる。これにより、窓幅方向における内側からシール隙間ＳＳへ向かう侵入ルートを複雑にすることができるので、防水性および防塵性を向上させることができる。
【００７３】
また、壁部５１に突出部５１１を設けることにより、第２窓部２２の第２縁部２２ａの表面側に膨出するシール縁部４５ａの一部と凹部５１０との接触部分への水や塵などの侵入を突出部５１１で阻害することができる。これにより、防水性および防塵性をさらに向上させることができる。
【００７４】
また、第２窓部２２の第２縁部２２ａの窓幅方向における端部が嵌め込まれる装着部材５０に壁部５１を設けることにより、壁部５１の位置決めを容易に行うことができる。また、接着剤などを用いて壁部５１を第２窓部２２に接着する場合よりも、壁部５１を第２窓部２２に設けるための作業を容易にすることができる。また、接着剤などを用いて壁部５１を第２窓部２２に接着する場合とは異なり、窓２０の開閉動作に伴う振動や摩擦による壁部５１の剥がれ落ちを防止することができる。なお、膨出面部５２と裏面部５３と対向面部５４についても同様のことがいえる。例えば、装着部材５０に膨出面部５２を設けることにより、膨出面部５２の位置決めを容易に行うことができる。
【００７５】
（装着部材の変形例１）
図１５は、装着部材５０の変形例１の構成を例示している。図１５に示した装着部材５０は、壁部５１の構成が図７〜図９に示した装着部材５０の構成と異なっている。図１５に示した装着部材５０のその他の構成は、図７〜図９に示した装着部材５０の構成と同様となっている。
【００７６】
図１５に示した装着部材５０では、壁部５１は、第２窓部２２の第２縁部２２ａの窓幅方向における端部の表面側に設けられている場合（図１５の実線で示す状態である場合）に、窓２０の閉動作における中間シール部材４５の移動軌跡ＭＬに突出部５１１が重ならず、第２窓部２２の第２縁部２２ａの窓幅方向における端部の裏面側に設けられている場合（図１５の二点鎖線で示す状態である場合）に、窓２０の閉動作における中間シール部材４５の移動軌跡ＭＬに突出部５１１が重なるように構成されている。
【００７７】
〔装着部材の変形例１による効果〕
以上のように、第２窓部２２の裏面側に設けられている場合に窓２０の閉動作に伴う中間シール部材４５の移動軌跡ＭＬに突出部５１１が重なるように壁部５１を構成することにより、壁部５１が誤って第２窓部２２の裏面側に設けられている場合に、窓２０の閉動作に伴って第２窓部２２の第２縁部２２ａへ向けて近づいてくる中間シール部材４５に壁部５１の突出部５１１を接触させることができる。これにより、壁部５１が誤って第２窓部２２の裏面側に設けられていることを発見することができる。
【００７８】
（装着部材の変形例２）
図１６は、装着部材５０の変形例２の構成を例示している。図１６に示した装着部材５０は、図７〜図９に示した装着部材５０の構成に加えて、リブ７０を有している。
【００７９】
リブ７０は、第２窓部２２の窓幅方向（この例では左右方向）と直交するように裏面部５３から対向面部５４を経由して膨出面部５２に延びている。この例では、リブ７０は、裏面部５３の上縁部と対向面部５４と膨出面部５２の接触面５２１とに設けられている。
【００８０】
〔装着部材の変形例２による効果〕
以上のように、リブ７０を設けることにより、窓２０が閉状態である場合に膨出面部５２と裏面部５３と対向面部５４に接触する中間シール部材４５の接触面を波状に弾性変形させることができる。これにより、膨出面部５２と裏面部５３と対向面部５４と中間シール部材４５との接触部分に水や塵などを侵入させにくくすることができるので、防水性および防塵性をさらに向上させることができる。
【００８１】
（装着部材の変形例３）
図１７〜図２０は、装着部材５０の変形例３の構成を例示している。図１７〜図２０に示した装着部材５０は、図１６に示した装着部材５０の構成に加えて、補助壁部８１と、連結壁部８２と、補助膨出面部８３と、補助リブ８４とを有している。この例では、補助壁部８１と連結壁部８２と補助膨出面部８３は、装着部材５０の表面部の一部を構成している。壁部５１と膨出面部５２と補助壁部８１と補助膨出面部８３は、対向面部５４により裏面部５３と連結されている。
【００８２】
〈補助壁部〉
補助壁部８１は、第２窓部２２の第２縁部２２ａの窓幅方向における端部（この例では左端部）の表面側に設けられる。図２０に示すように、補助壁部８１は、窓２０が閉状態である場合にシール壁部６０の窓幅方向における内側（この例では右側）に位置し、且つ、窓２０が閉状態である場合に窓幅方向における内側から見たときにシール壁部６０と重なるように構成されている。
【００８３】
この例では、補助壁部８１は、第２窓部２２の長さ方向（この例では上下方向）に延びる板状に形成されている。そして、補助壁部８１は、その板面が第２窓部２２の窓幅方向（この例では左右方向）と直交し、且つ、第２窓部２２の窓幅方向において壁部５１と所定の間隔をおいて対向するように配置されている。
【００８４】
《補助凹部》
また、補助壁部８１は、補助凹部８１０を有している。補助凹部８１０の構成は、凹部５１０の構成と同様となっている。具体的には、補助凹部８１０は、第２窓部２２の窓幅方向（左右方向）と直交する断面の形状が凹部５１０の窓幅方向と直交する断面の形状と同一となっている。この例では、補助凹部８１０は、第２窓部２２に近い側の第１補助面８１０ａと、第２窓部２２から遠い側の第２補助面８１０ｂとを有している。
【００８５】
《補助突出部》
また、補助壁部８１は、補助突出部８１１を有している。補助突出部８１１の構成は、図７〜図９に示した突出部５１１の構成と同様となっている。補助突出部８１１は、窓２０が閉状態である場合に中間シール部材４５の表面側と接触する接触面を有している。なお、図１７に示すように、補助突出部８１１は、第２窓部２２の窓幅方向と直交する断面の形状が三角形状に形成されている。一方、図１９に示すように、突出部５１１は、第２窓部２２の窓幅方向と直交する断面の形状が矩形状に形成されている。
【００８６】
〈連結壁部〉
連結壁部８２は、第２窓部２２の第２縁部２２ａと所定の間隔をおいて対向するように配置されて壁部５１と補助壁部８１とを連結している。そして、図２０に示すように、連結壁部８２は、窓２０が閉状態である場合に第２窓部２２の表面側（この例では前側）から見たときに壁部５１と補助壁部８１との間に位置するシール壁部６０と重なるように構成されている。
【００８７】
この例では、壁部５１と補助壁部８１と連結壁部８２は、壁部５１と補助壁部８１と連結壁部８２とに囲まれた空間が上方および下方に開口するように構成されている。壁部５１と補助壁部８１と連結壁部８２とに囲まれた空間を上方に開口させることにより、窓２０が閉状態である場合に、壁部５１と補助壁部８１と連結壁部８２とに囲まれた空間にシール壁部６０を挿入することができる。また、壁部５１と補助壁部８１と連結壁部８２とに囲まれた空間を下方に開口させることにより、壁部５１と補助壁部８１と連結壁部８２とに囲まれた空間に流れ込んだ水や塵などを下方に排出することができる。
【００８８】
〈補助膨出面部〉
補助膨出面部８３は、第２窓部２２の第２縁部２２ａの窓幅方向における端部（この例で左端部）の表面側に設けられる。そして、補助膨出面部８３は、壁部５１と補助壁部８１との間に配置され、壁部５１と補助壁部８１とを連結している。
【００８９】
この例では、補助膨出面部８３の構成は、膨出面部５２の構成と同様となっている。補助膨出面部８３は、補助接触面８３１と、補助傾斜面８３２と、補助中間面８３３とを有している。補助接触面８３１と補助傾斜面８３２と補助中間面８３３の構成は、接触面５２１と傾斜面５２２と中間面５２３の構成と同様となっている。
【００９０】
図１７および図１８に示すように、補助接触面８３１は、凹部５１０の第１面５１０ａおよび補助凹部８１０の第１補助面８１０ａに繋がっており、第２窓部２２の窓幅方向（この例では左右方向）と直交する断面の形状が凹部５１０の第１面５１０ａの窓幅方向と直交する断面の形状と同一となるように構成されている。補助傾斜面８３２は、膨出面部５２の第１面縁部５２ａ側から第２面縁部５２ｂ側へ向かうに連れて第２窓部２２に次第に近づくように構成されている。
【００９１】
〈補助リブ〉
補助リブ８４は、第２窓部２２の窓幅方向（この例では左右方向）と直交するように裏面部５３から対向面部５４を経由して補助膨出面部８３に延びている。この例では、補助リブ８４は、裏面部５３の上縁部と対向面部５４と補助膨出面部８３の補助接触面８３１とに設けられている。
【００９２】
〔装着部材の変形例３による効果〕
以上のように、補助壁部８１を設けることにより、窓幅方向における内側からシール隙間ＳＳ（第２縁部２２ａの表面側に膨出するシール縁部４５ａの一部と第２窓部２２とサイドシール部材４１とに囲まれた隙間）への水や塵などの侵入を壁部５１とシール壁部６０と補助壁部８１とで阻害することができる。また、連結壁部８２を設けることにより、壁部５１の第２窓部２２から遠い側（この例では前側）から壁部５１とシール壁部６０との間の隙間への水や塵などの侵入を連結壁部８２で阻害することができる。以上により、窓幅方向における内側からシール隙間ＳＳへ向かう侵入ルートをさらに複雑にすることができるので、防水性および防塵性をさらに向上させることができる。
【００９３】
（装着部材の変形例４）
図２１および図２２は、装着部材５０の変形例４の構成を例示している。図２１および図２２の例では、２つの装着部材５０が連結部９０により連結されている。
【００９４】
〔連結部〕
図２１に示すように、連結部９０は、第２窓部２２の第２縁部２２ａに沿うように延びて２つの装着部材５０を連結している。図２２に示すように、連結部９０の表面側の部分は、第２窓部２２の窓幅方向と直交する断面の形状が凹部５１０の第１面５１０ａの窓幅方向と直交する断面の形状と同一となっている。また、連結部９０の裏面側の部分は、第２窓部２２の窓幅方向と直交する断面の形状が裏面部５３の上縁部の窓幅方向と直交する断面の形状と同一となっている。そして、連結部９０の中間シール部材４５と対向する部分は、第２窓部２２の窓幅方向と直交する断面の形状が対向面部５４の窓幅方向と直交する断面の形状と同一となっている。
【００９５】
〔装着部材の変形例４による効果〕
以上のように、２つの装着部材５０を連結部９０で連結することにより、装着部材５０と第２窓部２２の第２縁部２２ａとの段差を無くす（または小さくする）ことができる。これにより、中間シール部材４５と第２窓部２２の第２縁部２２ａおよび装着部材５０との密着性を向上させることができるので、防水性および防塵性をさらに向上させることができる。
【００９６】
（その他の実施形態）
なお、以上の説明において、壁部５１は、サイドシール部材４１と接触するように設けられていてもよいし、第２窓部２２の窓幅方向においてサイドシール部材４１との間に微小な隙間（例えば２ｍｍ程度の隙間）を隔てて対向するように設けられていてもよい。
【００９７】
また、以上の説明では、壁部５１が装着部材５０に設けられる場合を例に挙げたが、壁部５１は、第２窓部２２に直接的に設けられていてもよい。例えば、壁部５１は、接着剤などを用いて第２窓部２２に接着された部材によって構成されていてもよい。膨出面部５２についても同様である。
【００９８】
また、以上の説明では、第１窓部２１および第２窓部２２のうち上窓を構成する第１窓部２１が摺動開閉可能である場合を例に挙げたが、第１窓部２１および第２窓部２２のうち下窓を構成する第２窓部２２が摺動開閉可能であってもよい。また、第１窓部２１が上窓を構成し、第２窓部２２が下窓を構成する場合を例に挙げたが、第１窓部２１が下窓を構成し、第２窓部２２が上窓を構成するようになっていてもよい。例えば、中間シール部材４５が下窓に設けられ、装着部材５０が上窓に装着されていてもよい。
【００９９】
また、以上の説明では、建設機械１０が油圧ショベルである場合を例に挙げたが、建設機械１０は、その他の建設機械であってもよい。
【０１００】
また、以上の実施形態および変形例を適宜組み合わせて実施してもよい。以上の実施形態および変形例は、本質的に好ましい例示であって、本発明、その適用物、あるいはその用途の範囲を制限することを意図するものではない。
【符号の説明】
【０１０１】
１０          建設機械
１４          キャブ
２０          窓
２１          第１窓部
２１ａ        第１縁部
２２          第２窓部
２２ａ        第２縁部
３０          窓枠
４０          シール部材
４１          サイドシール部材
４５          中間シール部材
４５ａ        シール縁部
５０          装着部材
５１          壁部
５１０        凹部
５１１        突出部
５２          膨出面部
５３          裏面部
５４          対向面部
６０          シール壁部
７０          リブ
８１          補助壁部
８２          連結壁部
８３          補助膨出面部
８４          補助リブ
９０          連結部
【図１】
2020029704.tif 000003
【図２】
2020029704.tif 000004
【図３】
2020029704.tif 000005
【図４】
2020029704.tif 000006
【図５】
2020029704.tif 000007
【図６】
2020029704.tif 000008
【図７】
2020029704.tif 000009
【図８】
2020029704.tif 000010
【図９】
2020029704.tif 000011
【図１０】
2020029704.tif 000012
【図１１】
2020029704.tif 000013
【図１２】
2020029704.tif 000014
【図１３】
2020029704.tif 000015
【図１４】
2020029704.tif 000016
【図１５】
2020029704.tif 000017
【図１６】
2020029704.tif 000018
【図１７】
2020029704.tif 000019
【図１８】
2020029704.tif 000020
【図１９】
2020029704.tif 000021
【図２０】
2020029704.tif 000022
【図２１】
2020029704.tif 000023
【図２２】
2020029704.tif 000024